(57)【要約】【課題】詰替え作業時に内容物が手指に付着するなどの不具合を起すことなしに容易かつスムーズに内容物を移し替えることができる詰替え容器を提案する。【解決手段】詰替え容器１は、容器本体３とその口部９に設けられた注出栓１３とを備え、注出栓１３は、口部９に保持され充填空間Ｍにつながる開口部１９ａが形成されたベース１９と、該ベース１９に回動自在に保持され内側に内容物の注出通路Ｐを形成する筒体２６であって、傾倒姿勢にて開口部１９ａを閉塞する一方、その引き起こしによる起立姿勢にて開口部１９ａと注出通路Ｐとが整列して内容物の注出を可能にする筒体２６と、を有し、ベース１９に、筒体２６の周りを取り囲み、筒体２６の、傾倒姿勢から起立姿勢への移行時に、該筒体２６に引っ掛けられて破断されベース１９に空気置換用の貫通孔３５を出現させるバージンバンド３７を設け、充填空間Ｍ内に貫通孔３５と協働して該充填空間Ｍと外部とを連通する空気置換用のパイプ４３を設けてなる。【選択図】図１
2013079084.tif 000002
【特許請求の範囲】
【請求項１】
内容物の充填空間につながる口部を有する容器本体と、この容器本体の口部に設けられた注出栓と、を備える詰替え容器であって、
前記注出栓は、前記口部に保持され前記充填空間につながる開口部が形成されたベースと、該ベースに回動自在に保持され内側に内容物の注出通路を形成する筒体であって、前記ベースに対する傾倒姿勢にて前記開口部を閉塞する一方、その引き起こしによる起立姿勢にて前記開口部と前記注出通路とが整列して内容物の注出を可能にする筒体と、を有し、
前記ベースに、前記筒体の周りを取り囲み、前記筒体の、前記傾倒姿勢から前記起立姿勢への移行時に、該筒体に引っ掛けられて破断され前記ベースに空気置換用の貫通孔を出現させるバージンバンドを設け、
前記充填空間内に前記バージンバンドの破断によって出現する前記貫通孔と協働して該充填空間と外部とを連通する空気置換用のパイプを設けたことを特徴とする詰替え容器。
【請求項２】
前記バージンバンドは、前記貫通孔を塞ぐ一端部が前記ベースに破断可能に連結されるとともに、他端部が前記ベースに破断不能に連結されてなる、請求項１に記載の詰替え容器。
【請求項３】
前記バージンバンドの前記他端部の、前記筒体と対向する側面とは反対側の側面に切込みまたは凹部を設けてなる、請求項２に記載の詰替え容器。
【発明の詳細な説明】
【技術分野】
【０００１】
本発明は、内容物の充填空間につながる口部を有する容器本体と、この容器本体の口部に設けられた注出栓とを備える詰替え容器に関し、とくに、容易かつスムーズな詰替え作業を実現しようとするものである。
【背景技術】
【０００２】
シャンプーやリンス、洗剤、消臭除菌剤あるいは化粧品などを入れる容器は、内容物の適量取り出しを可能とするために、ポンプのような吐出器が容器の口部に装着されて市場を流通しており、内容物を使いきった後は、別途に市販されている詰替え容器から新たな内容物を移し替えて元の容器（詰替えが行われる容器）を再利用することによって資源の有効活用が図られている。
【０００３】
ところで、詰替え容器は、パウチタイプの容器や薄肉のブロー成形容器など剛性の低い容器が適用されることが多いため変形し易く、内容物の詰替えが行い難いばかりか内容物が手指に付着するおそれもあった。この問題を解消するため、特許文献１には、容器本体の口部に、該口部に係合保持されるベースと、該ベースに回動可能に保持されその引き起こしによる起立姿勢でベースに形成した開口部と整列して内容物の注出を可能にする筒体と、からなる注出栓を装着してなる詰替え容器が開示されている。このような詰替え容器によれば、詰替えが行われる容器の口部に、注出栓の筒体を引っ掛けて当該筒体を引き起こすだけで詰替え容器内の内容物を移し替えることができる。
【先行技術文献】
【特許文献】
【０００４】
【特許文献１】特開２０１１−１５７０９６号公報
【発明の概要】
【発明が解決しようとする課題】
【０００５】
しかしながら、特許文献１にて提案された詰替え容器は、容器全体を逆さにした状態で内容物の注出を行うものであり、内容物の注出により内部が減圧化して内容物のスムーズな注出を行い得ない場合があってこの点について改善の余地があった。
【０００６】
それゆえ、本発明は、詰替え作業時に内容物が手指に付着するなどの不具合を起すことなしに容易かつスムーズに内容物を移し替えることができる詰替え容器を提案することを目的とする。
【課題を解決するための手段】
【０００７】
本発明は、上記課題を解決するためになされたものであり、本発明の詰替え容器は、内容物の充填空間につながる口部を有する容器本体と、この容器本体の口部に設けられた注出栓と、を備える詰替え容器であって、前記注出栓は、前記口部に保持され前記充填空間につながる開口部が形成されたベースと、該ベースに回動自在に保持され内側に内容物の注出通路を形成する筒体であって、前記ベースに対する傾倒姿勢にて前記開口部を閉塞する一方、その引き起こしによる起立姿勢にて前記開口部と前記注出通路とが整列して内容物の注出を可能にする筒体と、を有し、前記ベースに、前記筒体の周りを取り囲み、前記筒体の、前記傾倒姿勢から前記起立姿勢への移行時に、該筒体に引っ掛けられて破断され前記ベースに空気置換用の貫通孔を出現させるバージンバンドを設け、前記充填空間内に前記バージンバンドの破断によって出現する前記貫通孔と協働して該充填空間と外部とを連通する空気置換用のパイプを設けたことを特徴とするものである。
【０００８】
なお、本発明の詰替え容器にあっては、前記バージンバンドは、前記貫通孔を塞ぐ一端部が前記ベースに破断可能に連結されるとともに、他端部が前記ベースに破断不能に連結されてなることが好ましい。
【０００９】
また、本発明の詰替え容器にあっては、前記バージンバンドの前記他端部の、前記筒体と対向する側面とは反対側の側面に切込みまたは凹部を設けてなることが好ましい。
【発明の効果】
【００１０】
本発明の詰替え容器によれば、注出栓を詰替えが行われる容器の口部にあてがって、容器本体を傾けるだけでベースの開口部の開放および空気置換用の貫通孔の開放を行うことができ、注出栓を手指で直接触ることなく容易に詰替え作業を行うことができるとともに、詰替え容器内の内容物の流出に伴ってベースに形成された貫通孔を通して空気置換を行うことができるので、スムーズな詰替え作業を行うことができる。
【図面の簡単な説明】
【００１１】
【図１】本発明にしたがう一実施形態の詰替え容器の断面図である。
【図２】図１の詰替え容器を、キャップを開放した状態で示す平面図である。
【図３】図１の詰替え容器における注出栓を示す斜視図である。
【図４】図１のＡ−Ａ線に沿う断面図である。
【図５】図１の詰替え容器の注出栓を、内容物の詰替えが行われる容器の口部へあてがった様子を示す断面図である。
【図６】図５の状態から詰替え容器の容器本体を傾けた（底部を持ち上げた）様子を示す断面図である。
【図７】図６の状態から詰替え容器の容器本体をさらに傾けた様子を示す断面図である。
【図８】図６の状態において、バージンバンドが破断する様子を示した注出栓の斜視図である。
【図９】図７の状態から詰替え容器の容器本体を真っ逆さまに傾けて内容物の移し替えを行う様子を示した断面図である。
【発明を実施するための形態】
【００１２】
以下、本発明の実施の形態を図面を参照して詳細に説明する。
【００１３】
図中における符号１は、詰替え用の内容物を収容可能な詰替え容器を示す。詰替え容器１は、内側に内容物の充填空間Ｍを区画する容器本体３を備え、容器本体３は、筒状の胴部５と、胴部５の上端に連設され、そこから上方に向かうに連れて径が小さくなるテーパー状の肩部７と、該肩部７の上端に立設された口部９と、上記胴部５の下端を閉塞する底部１１を有している。容器本体３としては、内容物の注出による内容物の減少に伴って容器本体３そのものの減容を可能とする袋状ないし薄肉のブローボトル、あるいは人の把持によって変形および復元可能なスクイズ容器を用いることができるが、これらに限定されず、内容物の注出に際して容器本体３を変形させない剛性の大きいボトルを用いることもできる。
【００１４】
また、詰替え容器１は、容器本体３の口部９に装着され、詰替えが行われる容器Ｃ（図５参照）の口部Ｃ１にあてがって容器本体３内の内容物を注出する注出栓１３を備えている。
【００１５】
注出栓１３は、容器本体３の口部９にアンダーカット係合することによって着脱自在に保持されるベース１５を有する。ベース１５は、容器本体３の口部９の周りを取り囲む環状壁１７と、この環状壁１７の上端に一体に連結されて容器本体３の口部９で形成される開口を覆う天面壁１９と、天面壁１９の裏面から垂下して該口部９の内周面に嵌入されるインナーリング２１とを有する。ベース１５は、容器本体３の口部９にねじ係合によって保持するようにしてもよい。
【００１６】
さらにベース１５の天面壁１９には、充填空間Ｍと外部とを連通する開口部１９ａが形成されており、また、開口部１９ａの両側方には、図２および図３に明瞭に見ることができるように、開口部１９ａを挟みこむようにして相互対向する一対の支持壁２３，２４が立設されている。各支持壁２３，２４には、対向する支持壁２４，２３に向かって突出する軸部２３ａ，２４ａが形成されている。
【００１７】
注出栓１３はさらに、上述の支持壁２３，２４間に配置されるとともに該支持壁２３，２４の軸部２３ａ，２４ａに回転可能に支持され、内側に内容物の注出通路Ｐを形成する筒体２６を有している。具体的には、筒体２６は、天面壁１９の開口部１９ａを囲む部分に形成された凹曲面部１９ｂに沿って摺動する凸曲面２８ａを外面に形成するドラム部２８と、該ドラム部２８の前端から延びるノズル部３０とを一体に有し、上記注出通路Ｐはこれらのドラム部２８およびノズル部３０の双方を貫通して形成される。ドラム部２８の両側端面にはそれぞれ、支持壁２３，２４の軸部２３ａ，２４ａを受ける軸受部３２ａ，３３ａが設けられており、これにより、筒体２６は、ベース１５に対する傾倒姿勢（筒体２６が横倒しになった姿勢）にて凸曲面２８ａによってベース１５の開口部１９ａを閉塞する一方、軸部２３ａ，２４ａを基点とする引き起こしによる起立姿勢（筒体２６が容器の軸心と略平行となる姿勢）にて開口部１９ａと注出通路Ｐとが整列して内容物の注出を可能とする。
【００１８】
また、図１に示すように、上記凹曲面部１９ｂには、開口部１９ａに沿って環状に延びるとともにドラム部２８の凸曲面２８ａに圧接し該凸曲面２８ａと協働して開口部１９ａをシールする突条１９ｃが形成されている。さらに、図１に示すように、筒体２６の傾倒姿勢にて、ノズル部３０とベース１５の天面壁１９との間には、詰替えが行われる容器Ｃの口部Ｃ１を差し込むことができる程度の隙間Ｇが設けられている。当該隙間Ｇは、天壁面１９の、凹曲面部１９ｂの前方に連設されたストッパ壁（以下、「傾倒側ストッパ壁」という。）１９ｄにノズル部３０の下面を当接させることよって形成される。ここでは、ノズル部３０の先端下側部を延長し、すなわちノズル部３０の先端部を段状にして、該先端部が詰替えが行われる容器Ｃの口部Ｃ１に確実に引っ掛かるよう構成している。なお、ノズル部３０の先端部の形状は図示例に限定されず、ノズル部３０の先端下側部のみならず先端上側部も延長してノズル部３０の先端面を平坦な形状としてもよい。さらに、ドラム部２８の外壁には、図３に明瞭に見ることができるように、少なくとも１つ（この例では２つ）の突起２８ｂ，２８ｃが設けられてり、これらの突起２８ｂ，２８ｃは、筒体２６が起立して注出通路Ｐと開口部１９とが整列した際に（図９参照）、凹曲面部１９ｂの後方に連設されたストッパ壁（以下、「起立側ストッパ壁」という。）１９ｅに当接して筒体２６を位置決めする。
【００１９】
このようになる詰替え容器１において、ベース１５の天面壁１９には、図３および図４に明瞭に見ることができるように、筒体２６のノズル部３０の周りを取り囲み、筒体２６の、上記傾倒姿勢から上記起立姿勢への移行時に、該筒体２６のノズル部３０に引っ掛けられて破断されベース１５の天面壁１９に空気置換用の貫通孔３５を出現させる（すなわち、開放させる）門型のバージンバンド３７が設けられている。バージンバンド３７の一端部３７ａは、天面壁１９の、貫通孔３５の周縁部に薄肉の弱化部３９を介して破断可能に連結されており、バージンバンド３７の他端部３７ｂはベース１５の天面壁１９に破断不能に連結されている。また、バージンバンド３７の該他端部３７ｂには、筒体２６と対向する側面とは反対側の側面に凹部（切込みでもよい。）４１が形成されている。
【００２０】
また、上記詰替え容器１において、充填空間Ｍ内には、バージンバンド３７の破断により出現した上記貫通孔３５と協働して上記充填空間Ｍと外部とを連通する空気置換用のパイプ４３が設けられており、該パイプ４３は、天面壁１９の裏面に設けられたパイプホルダ４５に嵌合、保持されている。パイプ４３は、その長さが、充填空間Ｍ内に予定した量の内容物が充填されている状態で容器本体３を逆さにし、バージンバンド３７の破断により貫通孔３５が開放され、内容物の詰め替えが始まる際に、パイプ４３の末端が内容物の表面から露出する長さとなるよう設定されている。
【００２１】
なお、図示の実施形態の詰替え容器１において、符号４７は、不使用時に筒体２６を覆い隠すキャップであり、該キャップ４７は注出栓１３の後端にヒンジ４９を介して一体に連結されている。
【００２２】
次いで、上記構成を有する詰替え容器１の作用を説明する。
【００２３】
使用者は先ず、図５に示すように、傾倒姿勢にある筒体２６のノズル部３０とベース１５の天面壁１９との間の隙間Ｇに、詰替えが行われる容器Ｃの口部Ｃ１の上端を差し込む。次いで、図６に示すように、ノズル部３０の先端を口部９に引っ掛けながら詰替え容器１の容器本体３を傾けることにより、筒体２６は起立される。そして、図７および図８に示すように、容器本体３をさらに傾けて筒体２６をさらに引き起こすと、筒体２６の周囲を囲うバージンバンド３７が引っ張られてバージンバンド３７の一端部が弱化部３９を起点に破断し、ベース１５の天面壁１９に空気置換用の貫通孔３５が出現し、さらに筒体２６を引き起こすことにより、筒体２６の注出通路Ｐとベース１５の開口部１９ａとが整列して、充填空間Ｍ内の内容物が開口部１９ａおよび注出通路Ｐを経て流出すると同時に、ベース１５に設けられた貫通孔３５を通して空気が詰替え容器１内へと導入される（すなわち、空気置換が行われる。）。
【００２４】
したがって、この詰替え容器１によれば、注出栓１３を詰替えが行われる容器Ｃの口部Ｃ１にあてがって、容器本体３を傾けるだけでベース１５の開口部１９ａの開放および空気置換用の貫通孔３５の開放を行うことができ、注出栓１３を手指で直接触ることなく容易に詰替え作業を行うことができるとともに、詰替え容器１内の内容物の流出に伴ってベース１５に形成された貫通孔３５を通して空気置換を行うことができるので、スムーズな詰替え作業を行うことができる。
【００２５】
また、この詰替え容器１によれば、バージンバンド３７が破断していないことをもって、詰替え容器１が未開封であることを判断でき、言い換えれば、不正な開封があった場合にはそれを一目で判別することができる。
【００２６】
また、本実施形態の詰替え容器１によれば、バージンバンド３７の、貫通孔３５を塞ぐ一端部３７ａをベース１５に破断可能に連結するとともに、他端部３７ｂをベース１５に破断不能に連結したことから、バージンバンド３７の一端部３７ａを破断させた際に、該他端部３７ｂにてバージンバンド３７をベース１９に保持させておくことができ、詰替え時にバージンバンド３７が詰替えが行われる容器Ｃ内へ落下するのを防止することができる。
【００２７】
さらに、本実施形態の詰替え容器１によれば、バージンバンド３７の他端部３７ｂの、筒体２６と対向する側面とは反対側の側面に凹部（切込みでもよい。）４１を設けたことから、バージンバンド３７が破断した後に、該凹部４１を基点にバージンバンド３７を屈折させ易くすることができので、バージンバンド３７が筒体２６の回動を阻害するのを防止することができ、筒体２６を円滑に回動させることができる。
【００２８】
さらに、本実施形態の詰替え容器１によれば、傾倒側ストッパ壁１９ｄによって、筒体２６のノズル部３０とベース１５の天面壁１９との間に、詰替えが行われる容器Ｃの口部Ｃ１を差し込むことができる隙間Ｇを形成したことから、筒体２６を詰替えが行われる容器Ｃの口部Ｃ１に確実に引っ掛けることができて、筒体２６を容易に起立させることができる。
【００２９】
さらに、本実施形態の詰替え容器１によれば、ドラム部２８の外壁に突起２８ｂ，２８ｃを設けるとともに、筒体２６を起立させた際に該突起２８ｂ，２８ｃが当接する起立側ストッパ壁１９ｅを設けたことから、筒体２６を起立させた際の注出通路Ｐと開口部１９ａの位置合わせを確実に行うことができる。
【００３０】
しかも、本実施形態の詰替え容器１によれば、上記凹曲面部１９ｂに、開口部１９ａに沿って延びとともにドラム部２８の凸曲面２８ａに圧接し該凸曲面２８ａと協働して開口部１９ａをシールする突条１９ｃを設けたことから、筒体２６が傾倒姿勢にある状態において開口部１９ａを介した内容物の漏れ出しを確実に防止することができるとともに、突条１９ｃは凸曲面２８ａに対して線接触するものであるから、摺動抵抗が少なく筒体２６の回動が阻害されることもない。
【００３１】
以上、図示例に基づき本発明を説明したが、本発明は上述の実施形態のものに限定されず、特許請求の範囲の記載範囲内で適宜に変更することができる。例えば、上記実施形態では、ベースの支持壁に軸部を設けて筒体を回動自在に支持するようにしたが、筒体に軸部を設けるとともに支持壁に該軸部を受ける軸受部を設けてもよい。
【産業上の利用可能性】
【００３２】
かくして、本発明により、詰替え作業時に内容物が手指に付着するなどの不具合を起すことなしに容易かつスムーズに内容物を移し替えることができる詰替え容器を提案することが可能となった。
【符号の説明】
【００３３】
１  詰替え容器
３  容器本体
９  口部
１３  注出栓
１５  ベース
２６  筒体
３５  貫通孔
３７  バージンバンド
４１  凹部
Ｍ  充填空間
Ｐ  注出通路
【図１】
2013079084.tif 000003
【図２】
2013079084.tif 000004
【図３】
2013079084.tif 000005
【図４】
2013079084.tif 000006
【図５】
2013079084.tif 000007
【図６】
2013079084.tif 000008
【図７】
2013079084.tif 000009
【図８】
2013079084.tif 000010
【図９】
2013079084.tif 000011